(57)【要約】【課題】本発明は、ヘアドライヤーとヘアブラシの両方を収納し易く、探し易く、取出しも容易であって、これら以外のティッシュ等の収納物に対しても、収納スペースを変えることによって、収納を可能とした引出しを有する洗面化粧台を提供することを目的とする。【解決手段】本発明は、洗面ボールを有するカウンターと、その下方に位置し前記洗面ボールの前方を覆う幕板と、この幕板の下方に位置する引出しを備え、前記引出しが前板と側板と背板と底板によって構成された引出し箱を有する洗面化粧台において、この引出し箱が、その内部を区切る仕切板と、断面が円弧形状の溝を複数有する収納部材を有し、前記仕切板と収納部材とがそれぞれに着脱や移動可能であって、前記収納部材の溝が前後方向に向かっており、前記収納部材に収納された収納物が、前記底板との間に指が入る隙間を有する洗面化粧台である。【選択図】  図３
2008161415.tif 000002
【特許請求の範囲】
【請求項１】
洗面ボールを有するカウンターと、その下方に位置し前記洗面ボールの前方を覆う幕板と、この幕板の下方に位置する引出しを備え、前記引出しが前板と側板と背板と底板によって構成された引出し箱を有する洗面化粧台において、
この引出し箱が、その内部を区切る仕切板と、断面が円弧形状の溝を複数有する収納部材を有し、
前記仕切板と収納部材とがそれぞれに着脱や移動可能であって、
前記収納部材の溝が前後方向に向かっており、
前記収納部材に収納された収納物が、前記底板との間に指が入る隙間を有する洗面化粧台。
【請求項２】
請求項１において、
引出しの底板との間に指が入る隙間が、少なくとも収納部材の前板側または背板側の何れかに設けられた洗面化粧台。
【請求項３】
請求項１または請求項２において、
収納部材の幅方向の両端に、前板から背板に達する前後方向の仕切板が設けられ、
前記収納部材の前板側および背板側に、底板との間に指が入る隙間が設けられ、
前記仕切板と収納部材とが一体化されており、
引出し箱の内部を幅方向に移動可能な洗面化粧台。
【発明の詳細な説明】
【技術分野】
【０００１】
本発明は、ヘアドライヤーやヘアブラシを収納し易い洗面化粧台に関する。
【背景技術】
【０００２】
洗面化粧台の用途として、洗面や髭剃り、手洗い、うがい等の以外に、入浴後に髪をヘアドライヤーで乾かしたりブラッシングしたりする他、出かける前に化粧やヘアスタイルを整えること等のドレッサーとしての用途があり、このような用途での使い易さが望まれている。
【０００３】
このような用途で使い易くするためには、ドライヤーやヘアブラシ、ティッシュペーパー、化粧品、等を収納でき、また、収納したものを探したり、出し入れし易いことが必要である。特に、ヘアドライヤーは長い電源コードが付属しており、また、ヘアブラシはヘアドライヤー用に数種類付属したり、家族がそれぞれ持っているため、本数が増えることが多い。このようなヘアドライヤーやヘアブラシを通常の引出しに収納すると、引出しの操作によって移動するため、電源コードとヘアブラシが絡まったり、方向がまちまちになったりして、出し入れや探すのが面倒になり勝ちである。
【０００４】
従来、図１に示すように、ヘアドライヤー５やヘアブラシを収納する洗面化粧台としては、洗面化粧台１０の扉１１の裏側にヘアドライヤー５を収納するポケット１２を設けたものが知られている。また、洗面化粧台のミラーキャビネットに設置して用いるトレイの底に開口を設けて、ヘアブラシを立てて収納したり、このトレイの壁に凹所を設けてヘアブラシの柄を位置決めしたもの（特許文献１）が知られている。
【０００５】
洗面化粧台以外の収納のためのトレイとしては、キッチン用キャビネットの引出しに用いるもので、包丁やその他の収納物を収納したもの（特許文献２）、また、トレイを上下二重として上トレイをスライド移動可能としたもの（特許文献３）が知られている。
【特許文献１】特開２００４−１７３８１６号公報
【特許文献２】特開平１０−１５５６７０号公報
【特許文献３】特開２００４−２９８４２１号公報
【発明の開示】
【発明が解決しようとする課題】
【０００６】
しかしながら、洗面化粧台の扉の裏側にポケットを設けたものや、特許文献１のものでは、ヘアドライヤーを収納するには便利であるが、ヘアブラシ等を一緒に収納しようとすると、入りきらなかったり、電源コードが絡まったりすることがある。また、特許文献２や特許文献３に示すものでは、包丁を収納するには便利であるが、洗面化粧台において要求されている、ヘアドライヤーやヘアブラシの収納には適用できない。
【０００７】
本発明は、上記の問題を解決するためになされたものであり、ヘアドライヤーとヘアブラシの両方を収納し易く、探し易く、取出しも容易であって、これら以外のティッシュ等の収納物に対しても、収納スペースを変えることによって、収納を可能とした引出しを有する洗面化粧台を提供することを目的とする。
【課題を解決するための手段】
【０００８】
本発明は以下の構成を備えるものである。
（１）  洗面ボールを有するカウンターと、その下方に位置し前記洗面ボールの前方を覆う幕板と、この幕板の下方に位置する引出しを備え、前記引出しが前板と側板と背板と底板によって構成された引出し箱を有する洗面化粧台において、この引出し箱が、その内部を区切る仕切板と、断面が円弧形状の溝を複数有する収納部材を有し、前記仕切板と収納部材とがそれぞれに着脱や移動可能であって、前記収納部材の溝が前後方向に向かっており、前記収納部材に収納された収納物が、前記底板との間に指が入る隙間を有する洗面化粧台。
（２）  （１）において、引出しの底板との間に指が入る隙間が、少なくとも収納部材の前板側または背板側の何れかに設けられた洗面化粧台。
（３）  （１）または（２）において、収納部材の幅方向の両端に、前板から背板に達する前後方向の仕切板が設けられ、前記収納部材の前板側および背板側に、底板との間に指が入る隙間が設けられ、前記仕切板と収納部材とが一体化されており、引出し箱の内部を幅方向に移動可能な洗面化粧台。
【発明の効果】
【０００９】
本発明によれば、ヘアドライヤーとヘアブラシの両方を収納し易く、探し易く、取出しも容易であって、これら以外のティッシュ等の収納物に対しても、収納スペースを変えることによって、収納を可能とした引出しを有する洗面化粧台を提供することができる。
【発明を実施するための最良の形態】
【００１０】
本発明の洗面化粧台は、例えば図２に示すように、洗面ボールを有するカウンター１と、その下方に位置し洗面ボールの前方を覆う幕板２と、この幕板２の下方に位置する引出し３を備える。また、図３の拡大図に示すように、引出し３は、前板ａと側板ｂと背板ｃと底板ｄによって構成された引出し箱３を有する。
【００１１】
図３、図４に示すように引出し箱３は、前板ａと側板ｂと背板ｃと底板ｄによって囲まれた箱状になっており、収納物をその中に収納することができる。そして、この引出し箱３は、仕切板４を有しており、この仕切り板４は、引出し箱３の内部の収納スペースを区切るものである。これにより、図５に示すように、ヘアドライヤー５とヘアブラシ６、その他の複数の収納物を収納する際に、これらを区分けして収納することができ、また、引出し３を操作しても、これらが移動するのを防ぐことができるため、収納物が引出し３の中で絡まり合ったり、乱雑になるのを防止できる。
【００１２】
また、引出し箱３は、収納部材７を有する。この収納部材７は、引出し箱３の中で、収納物を置いた姿勢を維持したり、移動を防止したりするものであり、収納物の形状や大きさ等に応じて設けられる。本発明では、へアブラシを収納するために用いられる。このヘアブラシは、一般に、全体としては細長い形状であることが多いため、収納部材７の収納物を置く部分、即ち、収納部材７の上面は、図６に示すように、断面が円弧形状の溝とする。そして、特にヘアブラシ５は複数であることが多いため、収納部材７の円弧形状の溝は、収納部材７の幅方向に並べて複数設ける。さらに、収納部材７の円弧形状の溝は、洗面化粧台の前後方向、即ち、引出し３の操作方向に向かって設けられる。
【００１３】
これにより、ヘアブラシ６は細長い形状であるため転がり易いものであるが、収納部材７の上面の形状が断面が円弧形状の溝であるため、すっぽりと納めることができ、転がらずに保持することができる。また、図６に示すように、この収納部材７の溝の方向は、引出し３の操作方向であるため、ヘアブラシ６が収納部材７に収納された際、常に、ヘアブラシ６の長手方向が引出しの操作方向となるように置かれることになる。このため、引出し操作を行なっても、収納したヘアブラシ６が転がることがなく、収納したときの姿勢が保たれる。
【００１４】
仕切板４および収納部材７は、何れも引出し箱３の内部で着脱や移動が可能である。これにより、引出し箱３の中で、使用者が使い易い位置に、収納物を収納することができる。特に、ヘアドライヤー５やヘアブラシ６以外に、図８に示すように、例えばティッシュペーパーの箱８を収納したい場合は、仕切板４や収納部材７を移動して、引出し箱３の中に、収納スペースを設けることができる。
【００１５】
図７に示すように、収納部材７に置かれた収納物（この例では、ヘアブラシ６）は、引出し３の底板ｃとの間に、指が入る隙間９を有する。つまり、収納物を収納部材７に置いた状態で、その収納物の下側に指を入れることができる。これにより、収納物を置く際には、収納部材７に収納物が接触するまで、指で収納物を下側から保持することができ、静かに確実に収納部材７の上に収納物を置くことができる。また、収納物を収納部材７から取り出す際も、収納部材７に収納物を置いた状態で、指を収納物の下に入れることができるので、収納物を下側からしっかりと保持しながら取り出すことができる。このため、収納物の出し入れがやり易い。
【００１６】
図５、図８に示すように、引出し３の底板ｃとの間に指が入る隙間９は、少なくとも収納部材７の前板ａ側または背板ｃ側に設けられる。つまり、少なくとも、引出し箱３の中の手前側か奥側には、収納部材７が設けられないスペースが存在する。本発明においては、収納部材７は、ヘアブラシ６を収納するため用いるが、ヘアブラシ６は、一般に、髪をとかすブラシ部分ｅと、手で持つための柄の部分ｆとを有し、ブラシ部分ｅは、ヘアブラシ６全体の長さ方向の半分程度の範囲で設けられ、また、柄の部分ｆから、ブラシが柄の表裏の一方に飛び出した形状となるのが一般的である。そして、このヘアブラシ６が収納部材７の上に置かれる際は、ブラシ部分ｅが下向きとなる場合、ブラシ部分ｅが上向きとなる場合（図７）、およびこれらの両者の中間的な向きとなる場合がある。
【００１７】
しかし、何れの場合においても、収納部材７が設けられないスペースが存在すると、少なくともヘアブラシ６の柄の部分ｆまたはブラシ部分ｅと引出しの底板ｄとの間に指が入る隙間９が存在することになり、ヘアブラシ６が出し入れし易い。本発明では、引出し箱３の中の手前側か奥側に、このようなスペースを設けることによって、使用者が、柄の部分ｆをスペース側に向けて置くことができるため、柄の部分ｆに指が入るスペースを有するようにすることができ、出し入れが容易になる。
【００１８】
ここで、引出し３の底板ｄとの間に指が入る隙間９を、図７に示すように、収納部材７の前板ａ側と背板ｃ側の両方に設けるのが望ましい。つまり、収納部材７を引出し箱３の中の前後方向、即ち引出し３の操作方向の中央付近だけに設けるのが望ましい。これにより、使用者は、ヘアブラシ６の柄の部分ｆを、引出し箱３の中の手前側と奥側の何れの方向に向けて置いても、常に柄の部分ｆに指が入るスペースを有するようにすることができ、出し入れが非常に容易になる。
【００１９】
さらに、収納部材７の幅方向の両端に、前板ａから背板ｃに達する前後方向の仕切板４を設け、この仕切板４と収納部材７とが一体化され、引出し箱の内部を幅方向に移動可能とするのが望ましい。これにより、引出し箱３の中で、使用者が使い易い位置に、収納部材７を設置することができる。例えば図８に示すように、ヘアドライヤー５やヘアブラシ６以外に、例えばティッシュペーパーの箱８を収納したい場合は、収納部材７を移動して、引出し箱３の中に、収納スペースを設けることができる。
【実施例１】
【００２０】
本発明に係る洗面化粧台の実施例を図１に示す。
【００２１】
図２に示すように、本実施例の洗面化粧台１０は、洗面ボールを有するカウンター１と、その下方に位置し洗面ボールの前方を覆う幕板２と、この幕板２の下方に位置する引出し３を備える。
【００２２】
図３、図４に示すように、本実施例の洗面化粧台１０の引出し３は、前板ａと側板ｂと背板ｃと底板ｄによって囲まれた箱状になっており、収納物をその中に収納することができるようにした。そして、この引出し３は、仕切板４を有しており、この仕切板４は、引出し３の内部の収納スペースを区切るものとした。これにより、図５に示すように、ヘアドライヤー５とヘアブラシ６、その他の複数の収納物を収納する際に、これらを区分けして収納することができ、また、引出し３を操作しても、これらが移動するのを防ぐことができるため、収納物が引出しの中で絡まり合ったり、乱雑になるのを防止できた。
【００２３】
また、引出し３は、収納部材７を有しており、この収納部材７は、引出し箱３の中で、収納物を置いた姿勢を維持したり、移動を防止したりする為に用い、収納物の形状や大きさ等に応じて収納スペースを設けることができるものとした。本実施例では、収納部材７は、へアブラシ６を収納するために用いた。ヘアブラシ６は、一般に、全体としては細長い形状であることが多いため、図６に示すように、収納部材７の収納物を置く部分、即ち、収納部材７の状面は、断面が円弧形状の溝とした。特に、へアブラシ６は一般家庭において複数所有することが多いため、収納部材７の溝は幅方向に並べて複数設けた。さらに、収納部材７の溝は、洗面化粧台１０の前後方向、即ち、引出し３の操作方向に向かって設けた。
【００２４】
これにより、ヘアブラシ６は細長い形状であるため転がり易いものであるが、図６に示すように、収納部材７の上面の形状が断面が円弧形状の溝であるため、すっぽりと納めることができた。また、この収納部材７の溝は引出し３の操作方向であるため、ヘアブラシ６が収納部材７に収納された際、常に、ヘアブラシ６の長手方向が引出し３の操作方向となるように置かれることになった。このため、引出し操作を行なっても、収納したヘアブラシ６が転がることがなく、収納したときの姿勢が保つことができた。
【００２５】
仕切板４および収納部材７は、何れも引出し３の内部で着脱や移動が可能なものとした。これにより、引出し３の中で、使用者が使い易い位置に、収納物を収納することができた。例えば、図８に示すように、ヘアドライヤー５やヘアブラシ６以外に、ティッシュペーパーの箱８を収納したい場合は、仕切板４や収納部材７を移動することで、引出し３の中に、収納スペースを設けることができた。
【００２６】
図７に示すように、収納部材７に置かれた収納物は、引出し３の底板ｄとの間に、指が入る隙間９が生じるようにした。つまり、収納物を収納部材７に置いた状態で、その収納物の下側に指を入れることができ、これにより、収納物を置く際には、収納部材７に収納物が接触するまで、指で収納物を下側から保持することができ、静かに確実に収納部材７の上に収納物を置くことができた。また、収納物を収納部材７から取り出す際も、収納部材７に収納物を置いた状態で、指を収納物の下に入れることができるので、収納物を下側からしっかりと保持しながら取り出すことができ、このため、収納物の出し入れがやり易くなった。
【００２７】
引出し３の底板ｄとの間に指が入る隙間９を、収納部材７の前板ａ側および背板ｃ側の両方に設けたことで、引出し３の中の手前側と奥側の両方に、収納部材７が設けられないスペースが存在する。本実施例においては、収納部材７は、髪をとかすブラシ部分ｅと、手で持つための柄の部分ｆとを有するヘアブラシ６を収納するため用いた。
【００２８】
このヘアブラシ６が収納部材７の上に置かれる際は、ブラシ部分ｅが下向きとなる場合、ブラシ部分ｅが上向きとなる場合、およびこれらの両者の中間的な向きとなる場合があった。しかし、何れの場合においても、本実施例では、引出し３の中の手前側と奥側の両方に、このようなスペースを設けることによって、何れかのスペースの位置にヘアブラシ６の柄の部分ｆが置かれるようになるため、必ず、柄の部分ｆに指が入るスペース９を有するようにすることができ、出し入れが容易になった。
【００２９】
つまり、本実施例では、引出し３の底板ｄとの間に指が入る隙間９を、収納部材７の前板ａ側と背板ｃ側の両方に設けたので、収納部材７を引出し３の中の前後方向、即ち引出し３の操作方向の中央付近だけに設けることになった。これにより、使用者は、ヘアブラシ６の柄の部分ｆを、引出し３の中の手前側と奥側の何れの方向に向けて置いても、図７に示すように、常に柄の部分ｆに指が入るスペース９を有するようにすることができ、出し入れが非常に容易になった。
【００３０】
さらに、図８に示すように、収納部材７の幅方向の両端に、前板ａから背板ｃに達する前後方向の仕切板４を設け、この仕切板４と収納部材７とが一体化され、引出し３の内部を幅方向に移動可能とした。これにより、引出し３の中で、使用者が使い易い位置に、収納部材７を設置することができ、特に、ヘアドライヤー５やヘアブラシ６以外に、例えばティッシュペーパーの箱８を収納したい場合は、収納部材７を移動して、引出し３の中に、収納スペースを設けることができた。
【図面の簡単な説明】
【００３１】
【図１】従来の洗面化粧台の斜視図である。
【図２】本発明の実施例の洗面化粧台の斜視図である。（前板は透視化）
【図３】本発明の実施例の引き出し構造を拡大して示した斜視図である。（前板は透視化）
【図４】本発明の実施例の引き出し構造を示した上面図である。
【図５】本発明の実施例での引出しにヘアブラシやヘアドライヤーを収納した状態を示す上面図である
【図６】本発明の実施例でヘアブラシを収納した状態を示す正面からの透視図である。
【図７】本発明の実施例でヘアブラシを収納した状態を示す側面からの透視図である。
【図８】本発明の実施例で引出しの仕切板を移動し、ティッシュペーパーの箱を収納した状態を示す上面図である。
【符号の説明】
【００３２】
１  洗面カウンター
２  幕板
３  引出し（引出し箱）
４  仕切板
５  ヘアドライヤー
６  ヘアブラシ
７  収納部材
８  ティッシュペーパーの箱
９  指の入る隙間（スペース）
１０  洗面化粧台
１１  扉
１２  ポケット
ａ  前板
ｂ  側板
ｃ  背板
ｄ  底板
ｅ  ブラシの部分
ｆ  柄の部分
【図１】
2008161415.tif 000003
【図２】
2008161415.tif 000004
【図３】
2008161415.tif 000005
【図４】
2008161415.tif 000006
【図５】
2008161415.tif 000007
【図６】
2008161415.tif 000008
【図７】
2008161415.tif 000009
【図８】
2008161415.tif 000010